(57)【要約】      （修正有）【課題】タービン軸上にピニオンを取り付ける方法を得地峡する。【解決手段】内燃機関のタービン軸にピニオンＰを取り付ける方法であって、前記ピニオンは、軸対称を有する単一片で作成され、環状歯付き部分及び前記環状部分と同軸の同軸穴を有し、タービンの前記軸にピニオンをねじ式に取り付けるねじ山を備えた同軸穴を有し、前記ねじ山が、局所的ピッチ変化を有する方法。【選択図】図１Ａ
2015200314.tif 000002
【特許請求の範囲】
【請求項１】
内燃機関のタービン軸に取り付けられるピニオンを作成する方法であって、環状歯付き部分（２）及び前記環状部分（２）と同軸の軸方向部分（１）を有し、タービンの前記軸（ＳＨ）に前記ピニオン（Ｐ）をねじ式に留めるねじ山（ＴＨ１）を有する同軸穴（Ｈ）を備えたピニオンを、軸対称を有する単一片で作成する少なくとも１つの段階を含み、また前記ねじ山（ＴＨ１）を局所的ピッチ変化を有するように作成する手順を含む方法。
【請求項２】
前記軸方向部分（１）を、少なくとも１つの端部（Ｅ，Ｆ）が前記環状歯付き部分（２）に対して軸方向に突出するように作成する段階を含み、前記手順が、
前記同軸穴（Ｈ）を作成する段階と、
前記突出する端部（Ｅ，Ｆ）の対応関係で、少なくとも１本の平行線に従って１つ又は複数のパーシャルカットを作成する段階と、
前記軸方向部分の軸方向の牽引又は圧縮を行う段階と、
前記ねじ山（ＴＨ１）を作成する段階とを連続的に含む請求項１に記載の方法。
【請求項３】
前記パーシャルカット（Ｇ１，Ｇ２，Ｇ３）が複数のとき、前記パーシャルカット（Ｇ１，Ｇ２，Ｇ３）が、同じ平行線上又は異なる平行線上に連続的に配列される、請求項２に記載の方法。
【請求項４】
前記パーシャルカットが異なる平行線上に配置されるとき、前記パーシャルカットが、角度的にずらされる、請求項３に記載の方法。
【請求項５】
残りのねじ切り部分の直径（Ｄ）より大きい直径（ＤＥ）を得る前記少なくとも１つの突出端部（Ｅ）の限定された所定の延長部分（ＥＡ３）のための同軸穴（Ｈ）の一部分を拡張する段階と、
少なくとも１つの更に他のパーシャルカット（Ｃ１，Ｃ２，Ｃ３）を、前記端部（Ｅ）自体の平行線に従って、そのような限定延長部（ＥＡ３）の対応関係で作成して、前記突出端部（Ｅ）自体に一体化された円盤ばねとする段階とを更に含む、請求項１〜４のいずれか一項に記載の方法。
【請求項６】
前記更に他のパーシャルカット（Ｃ１，Ｃ２，Ｃ３）が複数のとき、前記更に他のパーシャルカット（Ｃ１，Ｃ２，Ｃ３）が、同じ平行線または異なる平行線上に連続的に配置される、請求項５に記載の方法。
【請求項７】
前記更に他のパーシャルカットが異なる平行線上に配置されるとき、前記更に他のパーシャルカットが、角度的にずらされる、請求項６に記載の方法。
【請求項８】
前記ピニオンの前記ねじ山（ＴＨ１）と相補形のねじ山（ＴＨ２）と、前記円盤ばねが接触するように意図された固定式当接リングナット（Ｂ）とを有するタービン軸（ＳＨ）を作成する段階を含む、請求項５〜７のいずれか一項に記載方法。
【請求項９】
内燃機関のタービン軸（ＳＨ）に取り付けられたピニオン（Ｐ）であって、前記ピニオンが、軸対称（Ｘ）を有する単一片で作成され、環状歯付き部分（２）及び前記環状歯付き部分（２）と同軸の軸方向部分（１）を備え、また前記タービンの前記軸（ＳＨ）に前記ピニオンをねじ式に留めるねじ山（ＴＨ１）を有する同軸穴を備え、前記ねじ山（ＴＨ１）が、局所的ピッチ変化を有する、ピニオン（Ｐ）。
【請求項１０】
前記軸方向部分（１）が、前記環状部分（２）に対して軸方向に突出し、前記突出部分（Ｅ）には円盤ばねが組み込まれた、請求項９に記載のシステム。
【請求項１１】
前記ピニオン（Ｐ）の前記ねじ山（ＴＨ１）と相補形のねじ山（ＴＨ２）と、前記円盤ばねが接触するように意図された固定式当接リングナット（Ｂ）とを有するタービン軸（ＳＨ）を含む、請求項９〜１０のいずれか一項に記載のシステム。
【請求項１２】
軸（ＳＨ）及びそれぞれのピニオン（Ｐ）と、請求項９〜１１のいずれかによるそれぞれの取付けシステムを備えた内燃機関用のタービン。
【請求項１３】
請求項１２によるタービンを含む内燃機関。
【発明の詳細な説明】
【技術分野】
【０００１】
本発明は、内燃機関のタービン運動の伝達に関連する構成要素を取り付けるためのシステム、詳細にはタービンのそれぞれの軸へのピニオンの取付けに関する。
【背景技術】
【０００２】
一般に、タービン軸上にピニオンを備えたタービンは、内燃機関の駆動シャフトに接続され、ターボコンパウンドシステムのスキーマとそれぞれの代替実施形態を実現するものである。
【０００３】
自動車分野におけるタービンの軸は、比較的細く、８〜２０ｍｍの直径を有する。ピニオンは、この軸にスプライン結合される。
【０００４】
そのような細い軸には、軸自体を弱めることになるため、軸型の溝付きカップリングは使用できない。
【０００５】
出願人が考えうる解決策によれば、ピニオンをタービン軸にねじ式に留めることができるが、タービンがターボコンパウンド構成の場合には、タービンが、機械式トルクを生成しそのトルクを駆動シャフトに伝える段階と、駆動シャフトがタービンを駆動する段階とがあることを考慮しなければならない。２つの段階のいずれでも、ねじ山の方向によって、ピニオンが、シャフトから緩む可能性がある。
【０００６】
半径方向ピン又は合わせピンは、タービンによって達成される回転速度でシャフト自体を支持する軸受の高速摩耗を決定する質量の偏りを引き起こすので、使用できない。
【０００７】
この問題のため、最も広く普及している取付け方法は、「押し嵌め」型のものであり、すなわち、ピニオンが、力によってタービン軸と係合し、分解できない単一片となり、したがって、破壊して部品を分離するかピニオンを加熱しなければならない。
【０００８】
そのような解決策は、最善ではない。
【発明の概要】
【発明が解決しようとする課題】
【０００９】
したがって、本発明の目的は、それぞれのタービン軸上にピニオンを取り付けるための普遍的な方法を提供することである。
【課題を解決するための手段】
【００１０】
本発明によるピニオンは、単一片で作成され、互いに環状で軸対称を有する２つの部分を含み、外側部分は歯が付けられ、内側部分は、少なくとも部分的にねじ山が設けられた同軸穴を有する。
【００１１】
本発明の根底にある概念は、貫通穴のねじ山上に小さい局所的ピッチ変化を導入することであり、それにより、ピニオンの本体が、それぞれのタービンのシャフトに連結される。
【００１２】
これにより、ねじのピッチの小さい局所的変化が得られ、これにより、タービンの軸上のピニオンの締め付け摩擦が有利に増大する。
【００１３】
ピニオンを実現するための好ましい方法によれば、内側部分の平行線に従ってパーシャルカットが作成され、次に、ピニオンが、軸方向に圧縮または牽引され、その後で雌ねじが作成される。
【００１４】
内側部分は、外側部分より大きい延長部分を有し、それにより、ピニオンの対称軸に従う端部の少なくとも一方が、歯付き部分に対して突出する。
【００１５】
前記パーシャルカットは、そのような端部の少なくとも一方の端部の対応関係で作成される。
【００１６】
様々なカットが、同一の平行線上又は互いに平行な平行線上に適切な角度ずらされて、引き続きかつ不連続的に作成されることが好ましい。
【００１７】
したがって、そのような端部は、軸方向圧縮を受けた場合に弱化しやすく、これにより、ねじ山の前記局所的ピッチ変化が生じやすくなる。
【００１８】
本発明の好ましい代替実施形態によれば、ピニオンの内側部分の２つの端部の一方にも円盤ばねが組み込まれる。
【００１９】
円盤ばねの特徴を利用して、固定式当接リングナットと隣接ねじ山とを有するタービン軸を作成可能である。
【００２０】
タービン軸上のピニオンをねじ式に嵌めることによって、円盤ばねの特徴を備えるピニオンの端部が、固定式当接リングナットと接触したときに、そのような端部が圧縮され変形して圧縮エネルギーを蓄積し始める段階が始まる。
【００２１】
そのような圧縮エネルギーは、それぞれのタービンの正常機能中にピニオン自体に加わるトルクによってピニオンが緩むのを防ぐ。
【００２２】
本発明の第１の目的は、請求項１により、内燃機関のタービン軸に取り付けられるピニオンを作成する方法である。
【００２３】
本発明の別の目的は、前述の方法に対応するピニオンである。
【００２４】
更に、本発明の更に他の目的は、前述のピニオンを含むタービンと、前記タービンを含む内燃機関である。
【００２５】
特許請求の範囲は、好ましい実施形態について述べるこの記述の一体部分である。
【００２６】
本発明の更に他の目的及び利点は、好ましい実施形態（及びその代替実施形態）の以下の詳細な説明と、単に実例であり非制限的な添付図面とから明らかになる。
【図面の簡単な説明】
【００２７】
【図１Ａ】本発明によるピニオンの軸方向図である。
【図１Ｂ】本発明によるピニオンの側面図である。
【図２】図１Ｂに示されたピニオンの好ましい代替実施形態を示す図である。
【図３】図３のピニオンの側面図である。
【図４】前述のピニオンが取り付けられたそれぞれのタービン軸の側面図である。
【００２８】
図では、同じ参照番号と文字は、同じ要素又は構成要素を示す。
【発明を実施するための形態】
【００２９】
本発明の目的であるピニオンＰの軸方向図を示す図１Ａと、同じピニオンの側面図を示す図１Ｂを参照すると、ピニオンが、軸Ｘによる軸対称をなすことが分かり、
更に、単一片で作成されるが、
−  内径Ｄを有する同軸貫通穴Ｈを有し、ねじ山ＴＨ１を少なくとも部分的に備えた第１の内側部分１と、
−  歯が付けられ第１の部分に対して環状の第２の外側部分２とを有し、
第１の部分１は、第２の部分の軸方向延長部分ＥＡ２より大きい軸方向延長部分ＥＡ１を有する。
【００３０】
便宜上、第１の部分は軸方向として規定され、第２の部分は管状として規定されるが、これらは単一片で作成される。
【００３１】
軸方向部分の少なくとも一方の端部Ｅ及び／又はＦは、環状部分に対して軸方向に突出する。
【００３２】
図１Ｂを参照すると、少なくとも１つのパーシャルカットＧ１，Ｇ２，Ｇ３が、軸方向部分１の平行線に従って、端部Ｅ及び／又はＦ上に作成され、ねじ山ＴＨ１を備え、より小さい直径Ｄを有するように設計された同軸穴の軸方向部分の対応関係にある。
【００３３】
円筒形状では、「平行線」の概念は明らかであり、円筒自体の対称軸と直角に交差する平面に従う円筒の円周方向である。
【００３４】
最初に、前記１つ又は複数のパーシャルカットＧ１，Ｇ２，Ｇ３が作成され、次にピニオンが、軸方向に圧縮又は牽引され、その後で雌ねじＴＨ１が作成される。
【００３５】
図１Ａは、パーシャルカットＧ２及びＧ３が、前述の端部Ｅと反対側に、端部Ｆの同じ平行線上に連続して作成されたことを示す。
【００３６】
図１Ａから、パーシャルカットＧ１，Ｇ２，Ｇ３が、外側から貫通穴Ｈまで達することが分かる。
【００３７】
連続したカットＧ２及びＧ３は、同一平行線上に作成される。
【００３８】
カットは、異なる平行線上に作成されてもよいが、２本の隣接した平行線の間で角度的にずらされることが好ましい。
【００３９】
パーシャルカットという用語は、第１の部分１の周囲全体に影響を及ぼさないが、好ましくは、１８０°より小さい部分に影響を及ぼすカットとして設計されるべきであることに注意されたい。
【００４０】
図１Ｂを参照すると、カットＧ１が、同じ平行線に属するカットＧ２及びＧ３に対して角度的にずらされることが分かる。
【００４１】
そのようなカットは、ピニオンの軸方向弾性を高め、それにより、ピニオンが圧縮または牽引されている間にねじ山を作成することによって、それぞれより大きいか小さいピッチを局所的に有するねじができる。
【００４２】
これにより、ピニオンが軸から間違って緩むのを防ぐのに有利な軸ＳＨ上のピニオンの締付けトルクが増大する。
【００４３】
図２の代替実施形態に関して、ピニオンの軸方向部分１の端部Ｅが、限定部分ＥＡ３を有し、軸方向穴Ｈが、残りのねじ部分より大きい直径ＤＥを有することが分かる。
【００４４】
そのような部分ＥＡ３は、その部分とその軸方向延長部分の両方を同じ記号ＥＡ３で示されており、前記限定延長部分ＥＡ３の対応関係で、端部Ｅの１本又は複数本の平行線に従って、少なくとも１つのパーシャルカットＣ１，Ｃ２，Ｃ３を有する。
【００４５】
図１Ｂから、パーシャルカットＣ１，Ｃ２，Ｃ３が、外側から貫通穴Ｈまで達することが分かる。
【００４６】
様々なカットは、Ｃ１，Ｃ２が、同一平行線上に引き続きかつ不連続で作成されるか、（Ｃ１，Ｃ２），Ｃ３が、互いに平行な平行線上に適切な角度ずらされて作成されることが好ましい。
【００４７】
したがって、そのような端部Ｅは、弱化され、軸方向圧縮を受けた場合に円盤ばねのように挙動する。
【００４８】
図４を参照すると、タービンＳＨの軸は、ねじ部分ＴＨ２と、固定式リングナットＢとを有し、固定式リングナットＢは、ピニオンＰの弱化端部Ｅのための停止点の特徴を備える。
【００４９】
したがって、本発明のそのような好ましい代替実施形態によれば、ピニオンは、ねじピッチＴＨ１の前述の局所的変更に加えて、歯付き部分２に対して軸方向に突出しかつ前記端部Ｅの対応関係にあるねじ山及び弱化カットＣ１，Ｃ２，Ｃ３を備えた軸方向貫通穴Ｈの残りの部分より大きい直径ＤＥを有する軸方向穴を有する内側部分１の端部Ｅを含む、単一片で作成される。換言すると、端部Ｅは、円盤ばねの特徴を備えるように機械加工される。
【００５０】
円盤ばねを作成するのに必要な他の機械加工作業に関しては、作業を行う順序は関係ない。
【００５１】
例えば、第２の部分の歯付け作業は、円盤ばねの特徴を備える弱化端部Ｅを作成した後で行われてもよい。
【００５２】
例えば、同軸穴Ｈは、様々なカットＣ１，Ｃ３，Ｃ３の前に作成されても後に作成されてもよく、同じことは、それぞれのねじ切り部分にも延長部ＥＡ３の穴の直径の拡張にも有効である。
【００５３】
考慮すべき順序は、
−  同軸穴を作成すること、
−  ピニオンに軸方向の牽引又は圧縮を加えること、
−  前記ねじ山（ＴＨ１）を作成することだけである。
【００５４】
有利には、端部Ｅは、より大きい弾性を有し、したがって、ピニオンの好ましくない緩みを有効に防止する締め付けトルクをかけることが可能である。
【００５５】
ピニオンを交換しなければならない場合は、ピニオンを破壊したり加熱したりせずに、適切なトルクを加えることによっていつでも外すことが可能である。
【００５６】
端部のうちの一方の端部（Ｅ）だけに円盤ばねを作成してもよいが、パーシャルカットＧ１〜Ｇ３は、端部Ｅ，Ｆまたは両方に作成されてもよい。これは、ねじの局所的変化が、ねじ山ＴＨ１のどの箇所でもその機能を果たすからである。
【００５７】
本発明の他の代替及び等価な実施形態は、本発明の範囲から逸脱することなく実施するように考案され縮小されうることは当業者に明らかである。
【００５８】
以上の記述から、当業者は、更なる構造詳細について述べることなく本発明を実施できる。様々な好ましい実施形態において述べた要素と特徴は、本出願の範囲から逸脱することなく組み合わされうる。先行技術の説明で述べたことは、詳細な説明で明示的に除外されない限り、本発明の特徴との組み合わせで考慮されるべきであり、本発明の一体部分となる。
【００５９】
更に、先行技術の説明で開示された特徴は、既知の先行技術の存在に関する宣言としてではなく、本発明をよりよく理解するために紹介されている。
【符号の説明】
【００６０】
１  軸方向部分
２  環状歯付き部分
Ｃ１，Ｃ２，Ｃ３  パーシャルカット
Ｄ，ＤＥ  直径
Ｅ，Ｆ  軸方向端部
ＥＡ１，ＥＡ２，ＥＡ３  軸方向延長部分
Ｈ  同軸穴
ＳＨ  軸
ＴＨ１  雌ねじ、ねじ山
【図１Ａ】
2015200314.tif 000003
【図１Ｂ】
2015200314.tif 000004
【図２】
2015200314.tif 000005
【図３】
2015200314.tif 000006
【図４】
2015200314.tif 000007
【外国語明細書】
2015200314000001.pdf